(57)【要約】【課題】ペットボトルを利用して、簡易かつ低廉で、ペットボトルが破損しても浮力を十分確保することができる浮材、それを利用したフロートウェア、パンツ及び水難防止安全服等を提供する。【解決手段】本発明は、ペットボトルと、前記ペットボトル内に充填された発泡材とからなることを特徴とする浮材、又ポケットを有する上衣と、前記ポケットに入れられる前記浮材とからなることを特徴とするフロートウェア、又前記フロートウェアと、左右ポケットを有する下衣、及び前記左右ポケットに入れられる前記浮材とより構成されるフロートパンツとからなることを特徴とする水難防止安全服、又発泡材を充填したペットボトルの浮材を収納するポケットを有する上衣と、発泡材を充填したペットボトルの浮材を収納するポケットを有する下衣とからなることを特徴とする水難防止安全服とした。【選択図】図１
2019090123.tif 000002
【特許請求の範囲】
【請求項１】
ペットボトルと、
前記ペットボトル内に充填された発泡材と、
からなることを特徴とする浮材。
【請求項２】
前発泡材が、前記ペットボトルの注ぎ口から充填されることを特徴とする請求項１に記載の浮材。
【請求項３】
前記ペットボトルの注ぎ口から充填された発泡材は、前記ペットボトルの本体では拍子木形或いは短冊形発泡材で、前記ペットボトルの本体の上部隙間では粉砕又は方形発泡材であることを特徴とする請求項２に記載の浮材。
【請求項４】
前記ペットボトルが、２Ｌ容量の市販飲料充填用のペットボトルであることを特徴とする請求項１に記載の浮材。
【請求項５】
ポケットを有する上衣と、
前記ポケットに入れられる請求項１〜請求項４の何れか１項に記載の浮材と、
からなることを特徴とするフロートウェア。
【請求項６】
前記上衣のポケットが、左右胸の位置、首直下の背中位置にあることを特徴とする請求項５に記載のフロートウェア。
【請求項７】
請求項５又は請求項６に記載のフロートウェアと、
左右ポケットを有する下衣、及び前記左右ポケットに入れられる請求項１〜請求項４の何れか１項に記載の浮材とより構成されるフロートパンツと、
からなることを特徴とする水難防止安全服。
【請求項８】
前記下衣の左右ポケットが、両膝前方〜外側方位置にあることを特徴とする請求項７に記載の水難防止安全服。
【請求項９】
発泡材を充填したペットボトルの浮材を収納するポケットを有する上衣と、
発泡材を充填したペットボトルの浮材を収納するポケットを有する下衣と、
からなることを特徴とする水難防止安全服。
【請求項１０】
ポケットを有するバンドと、
前記ポケットに入れられる請求項１〜請求項４の何れか１項に記載の浮材とからなり、
前記バンドをペットの胴部に装着することを特徴とするフロートバンド。
【発明の詳細な説明】
【技術分野】
【０００１】
本発明は、ペットボトルを利用した浮材、それを利用したフロートウェア、パンツ及び水難防止安全服に関する。さらに、ペットにも使用できるフロートバンドに関する。
【背景技術】
【０００２】
ペットボトルを利用した水難防止安全服として、特許文献１のライフジャケットが開発されている。
特許文献１のライフジャケットは、２リットルのペットボトルを収納できる大きさの収納部を少なくとも４ヶ所有したライフジャケットで、
ライフジャケットＬは、左右一対の前身ごろ１と後身ごろを有する本体１０と、左の前身ごろ１ａの表面に取り付けられ、２リットルのペットボトルＰＬを収納できる大きさの左前収納部３と、右の前身ごろ１ｂの表面に取り付けられ、２リットルのペットボトルＰＬを収納できる大きさの右前収納部４と、後身ごろの表面に取り付けられ、背面視、後身ごろの左に位置し、２リットルのペットボトルＰＬを収納できる大きさの左後収納部と、後身ごろ２の表面に取り付けられ、背面視、後身ごろ２の右に位置し、２リットルのペットボトルＰＬを収納できる大きさの右後収納部とを備えてなる、という考案である。
【０００３】
しかし、ペットボトルを内部空洞で使用した場合、水難、例えば、川で流され、或いは津波にながされて、障害物に衝突した場合、ペットボトルは破損し、浮力を十分に維持できない恐れがある。発明者が居住する茨城では、東日本大震災の津波、常総市の大水害を経験しており、水難事故（津波、浸水）から命を守る、家庭で、手軽に、水難防止安全服の開発が望まれている。
【先行技術文献】
【特許文献】
【０００４】
【特許文献１】実登録第３１７７７２８号公報
【発明の概要】
【発明が解決しようとする課題】
【０００５】
そこで、本発明は、ペットボトルを利用して、簡易かつ低廉で、ペットボトルが破損しても浮力を十分確保することができる浮材、それを利用したフロートウェア、パンツ及び水難防止安全服、さらに、ペットにも使用できるフロートバンドを提供することを目的とする。
【課題を解決するための手段】
【０００６】
（１）
ペットボトルと、
前記ペットボトル内に充填された発泡材と、
からなることを特徴とする浮材。
（２）
前発泡材が、前記ペットボトルの注ぎ口から充填されることを特徴とする  （１）に記載の浮材。
（３）
前記ペットボトルの注ぎ口から充填された発泡材は、前記ペットボトルの本体では拍子木形或いは短冊形発泡材で、前記ペットボトルの本体の上部隙間では粉砕又は方形発泡材であることを特徴とする（２）に記載の浮材。
（４）
前記ペットボトルが、２Ｌ容量の市販飲料充填用のペットボトルであることを特徴とする（１）に記載の浮材。
（５）
ポケットを有する上衣と、
前記ポケットに入れられる（１）〜（４）の何れかに記載の浮材と、
からなることを特徴とするフロートウェア。
（６）
前記上衣のポケットが、左右胸の位置、首直下の背中位置にあることを特徴とする（５）に記載のフロートウェア。
（７）
（５）又は（６）に記載のフロートウェアと、
左右ポケットを有する下衣、及び前記左右ポケットに入れられる（１）〜（４）の何れかに記載の浮材とより構成されるフロートパンツと、
からなることを特徴とする水難防止安全服。
（８）
前記下衣の左右ポケットが、両膝前方〜外側方位置にあることを特徴とする（７）に記載の水難防止安全服。
（９）
発泡材を充填したペットボトルの浮材を収納するポケットを有する上衣と、
発泡材を充填したペットボトルの浮材を収納するポケットを有する下衣と、
からなることを特徴とする水難防止安全服。
（１０）
ポケットを有するバンドと、
前記ポケットに入れられる（１）〜（４）の何れかに記載の浮材とからなり、
前記バンドをペットの胴部に装着することを特徴とするフロートバンド。
【発明の効果】
【０００７】
本発明は、上記構成であるので、ペットボトルを利用して簡易、低廉、かつペットボトルが破損しても浮力を十分確保することができる浮材を提供できる。また、それを利用して、低廉に、大人から子供用のフロートウェア及びフロートパンツ、さらにそれらをセットにした水難防止安全服を提供することができる。
【０００８】
加えて、この浮材は、ペットの胴部に装着される水難事故防止のフロートバンドにも利用することができる。ペットの場合には、水難事故防止の他、水中で自重負荷を軽減させて、歩行訓練に使用することができる。例えば、ペットの歩行困難な老犬の散歩の代替として運動不足解消、怪我の療養に適している。
【図面の簡単な説明】
【０００９】
【図１】大人用の水難防止安全服のフロートウェア、フロートパンツ、浮材の説明図であり、（Ａ）がフロートウェア正面、（Ｂ）がフロートウェア背面、（Ｃ）がフロートパンツ正面の撮影写真である。
【図２】大人用の水難防止安全服を着用したときの正面からの写真である。
【図３】大人用の水難防止安全服を着用したときの背面からの写真である。
【図４】浮材を説明するための写真である。
【図５】子供用の水難防止安全服のフロートウェア、フロートパンツ、浮材の説明図であり、（Ａ）がフロートウェア正面、（Ｂ）がフロートウェア背面、（Ｃ）がフロートパンツ正面の撮影写真である。
【図６】子供用の水難防止安全服を着用したときの正面からの写真である。
【図７】子供用の水難防止安全服を着用したときの背面からの写真である。
【図８】本発明である水難防止安全服を着用して、水中に浮くかの実証試験の様子を撮影した写真である。
【図９】犬用のフロートバンドの使用状態模式図（左側面）である。
【図１０】犬用のフロートバンドの使用状態模式図（平面）である。
【図１１】犬用のフロートバンドの使用状態模式図（背面）である。
【発明を実施するための形態】
【００１０】
以下、添付の図面を参照し、本発明の実施の形態について、詳細に説明する。なお、本発明は下記実施例に限定されるものではない。
【実施例１】
【００１１】
図１−３、図８に示すように、本発明である水難防止安全服１は、大人用で、フロートウェア２と、フロートパンツ３とからなる。フロートウェア２は、上衣２ａと浮材４とからなる。フロートパンツ３は、下衣３ａと浮材４とからなる。
【００１２】
上衣２ａは、ここでは、前開きの線ファスナ２ｅ、両袖があるジャケット、ジャンパーなどで、正面の左右胸の位置には左右前ポケット２ｂ、２ｃが、首直下の背中位置には背ポケット２ｄがある。各ポケットは、開閉して、留具２ｆで開かないようにして浮材４を収納している。
【００１３】
上衣２ａは、ジャンパー、パーカー、ベストなど、上着であれば、特に限定されない。各ポケットは、留具２ｆで開閉式にしてある。留具２ｆは、ボタン、ホック、線ファスナ、面ファスナなどが採用できる。ここでは、ホック式としてある。後述の留具３ｆも同様である。また、実施例２も同様である。
【００１４】
各ポケットは、収納予定の浮材４（ペットボトル容量、本数）を収納できる大きさにする。大人用のフロートウェア２（身長１５０ｃｍ−１７０ｃｍ）では、左右ポケット２ｂ、２ｃには、２Ｌ容量の浮材４を２本ずつ、背ポケット２ｄには２Ｌ容量の浮材４を３本収納できる。図３、４、８では、その本数収納されている。
【００１５】
下衣３ａは、ここでは、ズボンで、左右の膝（前方〜外側方）の位置に左右ポケット３ｂ、３ｃがある。各ポケットは、開閉して、留具３ｆで開かないようにして浮材４を収納している。
【００１６】
各ポケットは、収納予定のペットボトル容量、本数を収納できる大きさにする。大人用のフロートパンツ３では、左右ポケット３ｂ、３ｃには、２Ｌ容量の浮材４を１本ずつ収納する。図３、４、８では、その本数収納されている。
【００１７】
浮材４は、主に、図４に示すように、ペットボトル５と、ペットボトル５内に充填された発泡材、例えば発泡スチロール６を切断物とからなる。実施例２、３でも同じである。
【００１８】
ここで使用したペットボトル５は、２Ｌ容量の市販の飲料が充填されていた使用済みペットボトル５で、本体５ａと、本体上部の口５ｂに螺合するキャップ５ｃとからなる。ペットボトルは、使用対象（体重）に応じて、適宜、他の容量のペットボトルを使用してもよい。
【００１９】
ここで使用した発泡材は、浮材４を簡易かつ低廉に作成するため、ペットボトル５の注ぎ口５ｂから充填できる、約２０ｃｍの拍子木形発泡材６ａと、長い拍子木形発泡材６ａでは充填できない本体５ａ上部の狭い隙間に充填できる短い方形発泡材６ｂを採用した。その他の発泡材の形状としては、短冊形状、不定形粉砕物なども採用できる。
【００２０】
ペットボトル５に充填される発泡材は、発泡スチロール６、ポリウレタンなどの発泡物を、カッターなどで拍子木形、短冊形、方形、不定形に切断したものを使用できる。このような発泡材であれば、既存の飲料用の既成ペットボトル５を使用でき、ペットボトル５を分解せず、簡易かつ低廉に浮材４を組み立てることができる。実施例２、３においても同様である。
【００２１】
ペットボトル５に発泡材を充填することで、ペットボトル５が破損して内部に水が流入しても、浮力を十分確保することができる。単に、ペットボトル５を浮材とする場合よりも、安全性が高い。
【実施例２】
【００２２】
図５−８本発明である水難防止安全服１１は、子供用で、フロートウェア１２と、フロートパンツ１３とからなる。フロートウェア１２は、上衣１２ａと浮材４（実施例１と同じ）とからなる。フロートパンツ１３は、下衣１３ａと浮材４とからなる。
【００２３】
上衣１２ａは、ここでは、前開きの線ファスナ２ｅ、両袖、フードがあるパーカーなどで、正面の左右胸の位置には左右前ポケット２ｂ、２ｃが、首直下の背中位置には背ポケット２ｄがある。各ポケットは、開閉して、留具２ｆで開かないようにして浮材４を収納している。
【００２４】
各ポケットは、収納予定の浮材４（ペットボトル容量、本数）を収納できる大きさにする。子供用（身長１００ｃｍ〜１５０ｃｍ）のフロートウェア１２では、左右ポケット２ｂ、２ｃには、２Ｌ容量の浮材４を１本ずつ、背ポケット２ｄには１Ｌ容量の浮材４を２本収納できる。図６−８では、その本数収納されている。
【００２５】
下衣１３ａは、ここでは、スウェットズボンで、左右の膝（前方〜外側方）の位置に左右ポケット３ｂ、３ｃがある。各ポケットは、開閉して、留具３ｆで開かないようにして浮材４を収納している。
【００２６】
各ポケットは、収納予定のペットボトル容量、本数を収納できる大きさにする。子供尾用のフロートパンツ３（ここでは、股下６０ｃｍ）では、左右ポケット３ｂ、３ｃには、１Ｌ容量の浮材４を１本ずつ収納する。図３、４、８では、その本数収納されている。
【００２７】
実施例１、２の水難防止安全服１、１１を着用して、湖で浮遊試験をした結果を図８に示す。いずれの水難防止安全服１、１１でも、体の正面を上にして、顔が沈むことなく、浮上動作なしで安定して浮遊することができた。
【００２８】
それは、上衣における胸、背中のポケット及び浮材４の位置、さらに浮材４の容量、本数バランス、また下衣におけるポケット及び浮材４の位置、さらに浮材４の容量、本数バランスによるものである。このように、浮遊できれは、両手の自由に動かすことができ、身を守る作業に使用することができる。
【００２９】
他方、うつぶせ状になっても、顔を水上に保持することも容易にできる（データ省略）。
【実施例３】
【００３０】
次に、ペット用の水難防止安全服であるフロートバンドについて詳細に説明する。図９−１１に示すように、本発明であるペット用のフロートバンド２１は、バンド２２と、複数の浮材４（実施例１と同じ）とからなる。ここでは、大型犬の成犬３０用について説明する。
【００３１】
バンド２２は、輪状で、胴部に巻かれる布部２２ａと、布部２２ａに連設する伸縮部２２ｂと、伸縮部２２ｂに連設するメッシュ２２ｃと、メッシュ２２ｃの端部に連設し、メッシュ２２ｃ同士を開閉する線ファスナ２２ｄと、布部２２ａに設けた左右の側面ポケット２２ｇ、２２ｇと、腹部に位置する腹ポケット２２ｈとからなる。
【００３２】
伸縮部２２ｂを備えることで、胴回りサイズの異なる対象でも適用できるようになる。線ファスナ２２ｄで開閉できるので、装着が極めて容易である。
【００３３】
各ポケットに、浮材４を収納する。各ポケットは、実施例１、２同様に、留具２２ｆで開閉する。  大型犬の成犬３０であれば、２Ｌ容量の市販の飲料が充填されていた使用済みペットボトル５を用いた浮材４は、左右の側面ポケット２２ｇに２本ずつ、腹ポケット２２ｈに１本収納する。ペットの大きさにより、ペットボトル５の容量を適宜、選択する。
【００３４】
ペット用のフロートバンド２１は、水難事故の防止のみならず、散歩が困難な場合、怪我の療養に際して、水中で運動、歩行訓練させる場合に使用することもできる。とくに、老犬、歩行困難な犬において、自重の負荷を軽減し、運動不足解消、歩行訓練が可能になる。犬に限らず、４足歩行のペット、犬の他、例えばネコなどの動物が利用できる。
【符号の説明】
【００３５】
１      水難防止安全服
２      フロートウェア
２ａ    上衣
２ｂ    左前ポケット
２ｃ    右前ポケット
２ｄ    背ポケット
２ｅ    線ファスナ
２ｆ    留具
３      フロートパンツ
３ａ    下衣
３ｂ    左ポケット
３ｃ    右ポケット
３ｆ    留具  
４      浮材
５      ペットボトル
５ａ    本体
５ｂ    口
５ｃ    キャップ
６      発泡スチロール
６ａ    拍子木形発泡材
６ｂ    方形発泡材
１１    水難防止安全服
１２    フロートウェア
１２ａ  上衣
１３    フロートパンツ
１３    下衣
２１    フロートバンド
２２    バンド
２２ａ  布部
２２ｂ  伸縮部
２２ｃ  メッシュ
２２ｄ  線ファスナ
２２ｆ  留具
２２ｇ  側面ポケット
２２ｈ  腹ポケット
３０    成犬
【図１】
2019090123.tif 000003
【図２】
2019090123.tif 000004
【図３】
2019090123.tif 000005
【図４】
2019090123.tif 000006
【図５】
2019090123.tif 000007
【図６】
2019090123.tif 000008
【図７】
2019090123.tif 000009
【図８】
2019090123.tif 000010
【図９】
2019090123.tif 000011
【図１０】
2019090123.tif 000012
【図１１】
2019090123.tif 000013
【手続補正書】
【提出日】平成30年5月13日(2018.5.13)
【手続補正１】
【補正対象書類名】特許請求の範囲
【補正対象項目名】全文
【補正方法】変更
【補正の内容】
【特許請求の範囲】
【請求項１】
ペットボトルと、前記ペットボトル内に充填された発泡材とからなり、
前記発泡材が、前記ペットボトルの注ぎ口から充填されるものであって、
前記ペットボトルの本体の同径部では、前記本体の底から上までの長さを有する拍子木形或いは前記拍子木形を薄くした短冊形の直方体で、
前記ペットボトルの本体の上部の前記口に向けすぼまる形状の隙間部分では、粉砕又は前記直方体より短く前記隙間部分に充填できる長さの方形発泡材であることを特徴とする浮材。
【請求項２】
前記ペットボトルが、２Ｌ容量の市販飲料充填用のペットボトルであることを特徴とする請求項１に記載の浮材。
【請求項３】
ポケットを有する上衣と、
前記ポケットに入れられる請求項１又は請求項２に記載の浮材と、
からなることを特徴とするフロートウェア。
【請求項４】
前記上衣のポケットが、左右胸の位置、首直下の背中位置にあることを特徴とする請求項３に記載のフロートウェア。
【請求項５】
請求項３又は請求項４に記載のフロートウェアと、
左右ポケットを有する下衣、及び前記左右ポケットに入れられる請求項１又は請求項２に記載の浮材とより構成されるフロートパンツと、
からなることを特徴とする水難防止安全服。
【請求項６】
前記下衣の左右ポケットが、両膝前方〜外側方位置にあることを特徴とする請求項５に記載の水難防止安全服。
【請求項７】
発泡材を充填したペットボトルの浮材を収納するポケットを有する上衣と、
発泡材を充填したペットボトルの浮材を収納するポケットを有する下衣と、
からなり、
前記発泡材が、前記ペットボトルの注ぎ口から充填されるものであって、
前記ペットボトルの本体の同径部では、前記本体の底から上までの長さを有する拍子木形或いは前記拍子木形を薄くした短冊形の直方体で、
前記ペットボトルの本体の上部の前記口に向けすぼまる形状の隙間部分では、粉砕又は前記直方体より短く前記隙間部分に充填できる長さの方形発泡材である
ことを特徴とする水難防止安全服。
【請求項８】
ポケットを有するバンドと、
前記ポケットに入れられる請求項１又は請求項２に記載の浮材とからなり、
前記バンドをペットの胴部に装着することを特徴とするフロートバンド。
【手続補正３】
【補正対象書類名】明細書
【補正対象項目名】０００６
【補正方法】変更
【補正の内容】
【０００６】
（１）
ペットボトルと、前記ペットボトル内に充填された発泡材とからなり、
前記発泡材が、前記ペットボトルの注ぎ口から充填されるものであって、
前記ペットボトルの本体の同径部では、前記本体の底から上までの長さを有する拍子木形或いは前記拍子木形を薄くした短冊形の直方体で、
前記ペットボトルの本体の上部の前記口に向けすぼまる形状の隙間部分では、粉砕又は前記直方体より短く前記隙間部分に充填できる長さの方形発泡材であることを特徴とする浮材。
（２）
前記ペットボトルが、２Ｌ容量の市販飲料充填用のペットボトルであることを特徴とする（１）に記載の浮材。
（３）
ポケットを有する上衣と、
前記ポケットに入れられる（１）又は（２）に記載の浮材と、
からなることを特徴とするフロートウェア。
（４）
前記上衣のポケットが、左右胸の位置、首直下の背中位置にあることを特徴とする（３）に記載のフロートウェア。
（５）
（３）又は（４）に記載のフロートウェアと、
左右ポケットを有する下衣、及び前記左右ポケットに入れられる（１）又は（２）に記載の浮材とより構成されるフロートパンツと、
からなることを特徴とする水難防止安全服。
（６）
前記下衣の左右ポケットが、両膝前方〜外側方位置にあることを特徴とする請求項（５）に記載の水難防止安全服。
（７）
発泡材を充填したペットボトルの浮材を収納するポケットを有する上衣と、
発泡材を充填したペットボトルの浮材を収納するポケットを有する下衣と、
からなり、
前記発泡材が、前記ペットボトルの注ぎ口から充填されるものであって、
前記ペットボトルの本体の同径部では、前記本体の底から上までの長さを有する拍子木形或いは前記拍子木形を薄くした短冊形の直方体で、
前記ペットボトルの本体の上部の前記口に向けすぼまる形状の隙間部分では、粉砕又は前記直方体より短く前記隙間部分に充填できる長さの方形発泡材である
ことを特徴とする水難防止安全服。
（８）
ポケットを有するバンドと、
前記ポケットに入れられる（１）又は（２）に記載の浮材とからなり、
前記バンドをペットの胴部に装着することを特徴とするフロートバンド。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ペットボトルと、前記ペットボトル内に充填された発泡材とからなり、
前記発泡材が、前記ペットボトルの注ぎ口から充填されるものであって、
前記ペットボトルの本体下部側では拍子木形発泡材で、
前記ペットボトルの本体の前記拍子木形発泡材では充填できない上部隙間部分では、粉砕又は前記拍子木形発泡材より短い方形発泡材であることを特徴とする浮材。
【請求項２】
前記ペットボトルが、２Ｌ容量の市販飲料充填用のペットボトルであることを特徴とする請求項１に記載の浮材。
【請求項３】
ポケットを有する上衣と、
前記ポケットに入れられる請求項１又は請求項２に記載の浮材と、
からなることを特徴とするフロートウェア。
【請求項４】
前記上衣のポケットが、左右胸の位置、首直下の背中位置にあることを特徴とする請求項３に記載のフロートウェア。
【請求項５】
請求項３又は請求項４に記載のフロートウェアと、
左右ポケットを有する下衣、及び前記左右ポケットに入れられる請求項１又は請求項２に記載の浮材とより構成されるフロートパンツと、
からなることを特徴とする水難防止安全服。
【請求項６】
前記下衣の左右ポケットが、両膝前方〜外側方位置にあることを特徴とする請求項５に記載の水難防止安全服。
【請求項７】
発泡材を充填したペットボトルの浮材を収納するポケットを有する上衣と、
発泡材を充填したペットボトルの浮材を収納するポケットを有する下衣と、
からなり、
前記発泡材が、前記ペットボトルの注ぎ口から充填されるものであって、
前記ペットボトルの本体下部側では拍子木形発泡材で、
前記ペットボトルの本体の前記拍子木形発泡材では充填できない上部隙間部分では、粉砕又は前記拍子木形発泡材より短い方形発泡材である
ことを特徴とする水難防止安全服。
【請求項８】
ポケットを有するバンドと、
前記ポケットに入れられる請求項１又は請求項２に記載の浮材とからなり、
前記バンドをペットの胴部に装着することを特徴とするフロートバンド。
【手続補正２】
【補正対象書類名】明細書
【補正対象項目名】０００６
【補正方法】変更
【補正の内容】
【０００６】
（１）
ペットボトルと、前記ペットボトル内に充填された発泡材とからなり、
前記発泡材が、前記ペットボトルの注ぎ口から充填されるものであって、
前記ペットボトルの本体下部側では拍子木形発泡材で、
前記ペットボトルの本体の前記拍子木形発泡材では充填できない上部隙間部分では、粉砕又は前記拍子木形発泡材より短い方形発泡材であることを特徴とする浮材。
（２）
前記ペットボトルが、２Ｌ容量の市販飲料充填用のペットボトルであることを特徴とする（１）に記載の浮材。
（３）
ポケットを有する上衣と、
前記ポケットに入れられる（１）又は（２）に記載の浮材と、
からなることを特徴とするフロートウェア。
（４）
前記上衣のポケットが、左右胸の位置、首直下の背中位置にあることを特徴とする（３）に記載のフロートウェア。
（５）
（３）又は（４）に記載のフロートウェアと、
左右ポケットを有する下衣、及び前記左右ポケットに入れられる（１）又は（２）に記載の浮材とより構成されるフロートパンツと、
からなることを特徴とする水難防止安全服。
（６）
前記下衣の左右ポケットが、両膝前方〜外側方位置にあることを特徴とする（５）に記載の水難防止安全服。
（７）
発泡材を充填したペットボトルの浮材を収納するポケットを有する上衣と、
発泡材を充填したペットボトルの浮材を収納するポケットを有する下衣と、
からなり、
前記発泡材が、前記ペットボトルの注ぎ口から充填されるものであって、
前記ペットボトルの本体下部側では拍子木形発泡材で、
前記ペットボトルの本体の前記拍子木形発泡材では充填できない上部隙間部分では、粉砕又は前記拍子木形発泡材より短い方形発泡材である
ことを特徴とする水難防止安全服。
（８）
ポケットを有するバンドと、
前記ポケットに入れられる（１）又は（２）に記載の浮材とからなり、
前記バンドをペットの胴部に装着することを特徴とするフロートバンド。